(57)【要約】【課題】本発明は伸縮式携帯便利なハンガーを開示した。【解決手段】左右に対称的に設置される連結ブロックを含み、前記連結ブロックの間にはフック装置、伸縮装置及び手動装置が連結され、前記伸縮装置にはハンガー装置が連結され、前記フック装置は前記連結ブロックの中に設置されるスライドチャンバを含み、本発明は構造が簡単で、操作が便利であり、使用されないときに収縮し、占める空間を減少できるだけではなく、横ロッドから取り外す必要もなく、便利で快速であり、また同時に複数の服を干せる。【選択図】図１
2020175059.tif 000002
【特許請求の範囲】
【請求項１】
左右に対称的に設置される連結ブロックを含み、前記連結ブロックの間にはフック装置、伸縮装置及び手動装置が連結され、前記伸縮装置にはハンガー装置が連結され、前記フック装置は前記連結ブロックの中に設置されるスライドチャンバを含み、前記スライドチャンバの中には内スライドブロックと外スライドブロックとがスライドできるように設置され、前記内スライドブロックと前記外スライドブロックとの中にはそれぞれ左右に位置ずれ、かつ前後に貫通する内抜き穴と外抜き穴が設置され、前記スライドチャンバの前後内壁には前梁と後梁とがそれぞれ固定的に連結され、前記前梁と前記後梁とがそれぞれ前記内抜き穴と前記外抜き穴とを貫通し、前記内スライドブロックの前端と前記スライドチャンバの前側内壁との間には前ばねが固定的に連結され、前記外スライドブロックの後端と前記スライドチャンバの後側内壁との間には後ばねが固定的に連結され、前記スライドチャンバの上側内壁の中には上方に開口した連通溝が連通し設置され、前記内スライドブロックと前記外スライドブロックの上端には内フックと外フックとがそれぞれ固定的に連結され、前記内フックと前記外フックとの間には横ロッド穴が左右に貫通し設置され、前記横ロッド穴の間には横ロッドがスライドできるように、かつ回転できるように連結され、
上下に前記連結ブロックをスライドさせるだけで服を掛けられ、ハンガーを取り外す必要がないことを特徴とする伸縮式携帯便利なハンガー。
【請求項２】
前記手動装置はそれぞれ左右両側の前記連結ブロックの上端に固定的に設置されるネジ山ブロックと固定ブロックを含み、前記ネジ山ブロックの中にはネジ山穴が左右に貫通し設置され、前記ネジ山穴の中にはねじボルトがネジ山により連結され、前記ねじボルトの左端にはリミットブロックが固定的に連結され、前記固定ブロックの中には固定穴が左右に貫通し設置され、前記ねじボルトの右端が前記固定穴を貫通し、前記ねじボルトの右端には制御輪が固定的に連結され、
前記制御輪を回転させ、両側の前記連結ブロックの間の距離を変更できることを特徴とする請求項１に記載の伸縮式携帯便利なハンガー。
【請求項３】
前記伸縮装置は開口が向かい合い、かつ下方に開口した前記連結ブロックの中に設置されるスライドチャンバを含み、前記スライドチャンバのうち中心から離れている側の内壁には固定ロッドが固定的に連結され、前記固定ロッドの中には伸縮チャンバが向かい合って開口して設置され、前記伸縮チャンバの間には伸縮ロッドがスライドできるように連結され、前記伸縮ロッドの左右両端と前記伸縮チャンバの内側内壁との間には伸縮ばねが固定的に連結され、前記伸縮チャンバの内壁の中には清掃膜が固定的に設置され、前記スライドチャンバの上側内壁の中には仕切り板チャンバが連通し設置され、前記仕切り板チャンバの前後内壁の間には仕切り板軸が固定的に連結され、前記仕切り板軸には仕切り板が回転できるように連結され、前記仕切り板の中には仕切り板軸穴が前後に貫通し設置され、前記仕切り板軸が前記仕切り板軸穴を貫通し、前記仕切り板の前後両端と前記仕切り板チャンバの前後内壁との間には仕切り板トーションばねが固定的に連結され、
左右に前記連結ブロックをスライドさせると前記伸縮ロッドが伸び出せ、服を前記伸縮ロッドに置いて干すことができ、前記仕切り板を通じて前記ハンガー装置が前記スライドチャンバから滑り出すことを防止できることを特徴とする請求項１に記載の伸縮式携帯便利なハンガー。
【請求項４】
前記ハンガー装置は前記スライドチャンバの中にスライドできるように設置される連結板を含み、前記連結板の中にはガイド穴が左右に貫通し設置され、前記固定ロッドが前記連結板を貫通し、前記連結板のうち中心に近接する一端には上下に対称的な連結柱が固定的に連結され、上下両側の前記連結柱の間には固定軸が固定的に連結され、前記固定軸には広げ板が回転できるように連結され、前記広げ板の中には固定軸穴が上下に貫通し設置され、前記固定軸が前記固定軸穴を貫通し、両側の前記広げ板の間には三組のヒンジ連結装置が連結され、前記ヒンジ連結装置は前記広げ板の中に回転できるように連結される前連結軸を含み、前記前連結軸の上端には上連結板が回転できるように連結され、前記上連結板のもう一端の中には後連結軸が回転できるように連結され、前記後連結軸の下端には下連結板が回転できるように設置され、前記下連結板のもう一端が次の前記ヒンジ連結装置に連結され、前記前連結軸と前記後連結軸の下端にはクリップが固定的に連結され、前記クリップの中には下方に開口した開口チャンバが左右に貫通し設置され、前記開口チャンバの中には治具軸が左右に対称的に固定的に連結され、前記治具軸には治具が回転できるように連結され、前記治具の前後両端と前記開口チャンバの前後両側内壁との間には挟みトーションばねが固定的に連結され、
前記前連結軸と前記後連結軸との回転できるような連結により前記上連結板と前記下連結板とを収縮できることを特徴とする請求項３に記載の伸縮式携帯便利なハンガー。
【発明の詳細な説明】
【技術分野】
【０００１】
本発明は生活用品分野を取り上げて、具体的には伸縮式携帯便利なハンガーである。
【背景技術】
【０００２】
普段の生活にハンガーで服を干すのが一般的であるが、服をハンガーに掛けた後竿上げ棒で横ロッドに掛ける必要があり、手間がかかり、また大きなハンガーは服を干さないとき占める空間が大きく、従って快速に変換できる伸縮式携帯便利なハンガーを設計する必要があり、本発明の装置は常に横ロッドに掛けられ、快速に伸縮でき占める空間を減少する。
【先行技術文献】
【特許文献】
【０００３】
【特許文献１】中国特許出願公開第１０７７００１６７号明細書
【発明の概要】
【発明が解決しようとする課題】
【０００４】
本発明の目的は伸縮式携帯便利なハンガーを提供し、それは上記の現在の技術中の問題を解決できる。
【課題を解決するための手段】
【０００５】
本発明は以下の技術プランを通じて実現する：本発明の伸縮式携帯便利なハンガーは、左右に対称的に設置される連結ブロックを含み、前記連結ブロックの間にはフック装置、伸縮装置及び手動装置が連結され、前記伸縮装置にはハンガー装置が連結され、前記フック装置は前記連結ブロックの中に設置されるスライドチャンバを含み、前記スライドチャンバの中には内スライドブロックと外スライドブロックとがスライドできるように設置され、前記内スライドブロックと前記外スライドブロックとの中にはそれぞれ左右に位置ずれ、かつ前後に貫通する内抜き穴と外抜き穴が設置され、前記スライドチャンバの前後内壁には前梁と後梁とがそれぞれ固定的に連結され、前記前梁と前記後梁とがそれぞれ前記内抜き穴と前記外抜き穴とを貫通し、前記内スライドブロックの前端と前記スライドチャンバの前側内壁との間には前ばねが固定的に連結され、前記外スライドブロックの後端と前記スライドチャンバの後側内壁との間には後ばねが固定的に連結され、前記スライドチャンバの上側内壁の中には上方に開口した連通溝が連通し設置され、前記内スライドブロックと前記外スライドブロックの上端には内フックと外フックとがそれぞれ固定的に連結され、前記内フックと前記外フックとの間には横ロッド穴が左右に貫通し設置され、前記横ロッド穴の間には横ロッドがスライドできるように、かつ回転できるように連結され、
上下に前記連結ブロックをスライドさせるだけで服を掛けられ、ハンガーを取り外す必要がない。
【０００６】
更の技術プラン、前記手動装置はそれぞれ左右両側の前記連結ブロックの上端に固定的に設置されるネジ山ブロックと固定ブロックを含み、前記ネジ山ブロックの中にはネジ山穴が左右に貫通し設置され、前記ネジ山穴の中にはねじボルトがネジ山により連結され、前記ねじボルトの左端にはリミットブロックが固定的に連結され、前記固定ブロックの中には固定穴が左右に貫通し設置され、前記ねじボルトの右端が前記固定穴を貫通し、前記ねじボルトの右端には制御輪が固定的に連結され、
前記制御輪を回転させ、両側の前記連結ブロックの間の距離を変更できる。
【０００７】
更の技術プラン、前記伸縮装置は開口が向かい合い、かつ下方に開口した前記連結ブロックの中に設置されるスライドチャンバを含み、前記スライドチャンバのうち中心から離れている側の内壁には固定ロッドが固定的に連結され、前記固定ロッドの中には伸縮チャンバが向かい合って開口して設置され、前記伸縮チャンバの間には伸縮ロッドがスライドできるように連結され、前記伸縮ロッドの左右両端と前記伸縮チャンバの内側内壁との間には伸縮ばねが固定的に連結され、前記伸縮チャンバの内壁の中には清掃膜が固定的に設置され、前記スライドチャンバの上側内壁の中には仕切り板チャンバが連通し設置され、前記仕切り板チャンバの前後内壁の間には仕切り板軸が固定的に連結され、前記仕切り板軸には仕切り板が回転できるように連結され、前記仕切り板の中には仕切り板軸穴が前後に貫通し設置され、前記仕切り板軸が前記仕切り板軸穴を貫通し、前記仕切り板の前後両端と前記仕切り板チャンバの前後内壁との間には仕切り板トーションばねが固定的に連結され、
左右に前記連結ブロックをスライドさせると前記伸縮ロッドが伸び出せ、服を前記伸縮ロッドに置いて干すことができ、前記仕切り板を通じて前記ハンガー装置が前記スライドチャンバから滑り出すことを防止できる。
【０００８】
更の技術プラン、前記ハンガー装置は前記スライドチャンバの中にスライドできるように設置される連結板を含み、前記連結板の中にはガイド穴が左右に貫通し設置され、前記固定ロッドが前記連結板を貫通し、前記連結板のうち中心に近接する一端には上下に対称的な連結柱が固定的に連結され、上下両側の前記連結柱の間には固定軸が固定的に連結され、前記固定軸には広げ板が回転できるように連結され、前記広げ板の中には固定軸穴が上下に貫通し設置され、前記固定軸が前記固定軸穴を貫通し、両側の前記広げ板の間には三組のヒンジ連結装置が連結され、前記ヒンジ連結装置は前記広げ板の中に回転できるように連結される前連結軸を含み、前記前連結軸の上端には上連結板が回転できるように連結され、前記上連結板のもう一端の中には後連結軸が回転できるように連結され、前記後連結軸の下端には下連結板が回転できるように設置され、前記下連結板のもう一端が次の前記ヒンジ連結装置に連結され、前記前連結軸と前記後連結軸の下端にはクリップが固定的に連結され、前記クリップの中には下方に開口した開口チャンバが左右に貫通し設置され、前記開口チャンバの中には治具軸が左右に対称的に固定的に連結され、前記治具軸には治具が回転できるように連結され、前記治具の前後両端と前記開口チャンバの前後両側内壁との間には挟みトーションばねが固定的に連結され、
前記前連結軸と前記後連結軸との回転できるような連結により前記上連結板と前記下連結板とを収縮できる。
【発明の効果】
【０００９】
有益的な効果は：本発明は構造が簡単で、操作が便利であり、服を干す必要があるとき、ハンガーを展開させ、挟み装置を下に引いた後服を挟み、手を放した後に挟み装置が自動的にリセットし上昇し、本発明の装置が使用されないときに収縮し、占める空間を減少できるだけではなく、横ロッドから取り外す必要もなく、便利で快速であり、また同時に複数の服を干せる。
【図面の簡単な説明】
【００１０】
【図１】図１は本発明の伸縮式携帯便利なハンガーの内部構成略図
【図２】図２は図１のＡ−Ａ方向の構成略図
【図３】図３は図１のＢの拡大略図
【図４】図４は図１のＣの拡大略図
【図５】図５は図３のＤ−Ｄ方向の構成略図
【図６】図６は図４のＥ−Ｅ方向の構成略図
【発明を実施するための形態】
【００１１】
下記に図１−６をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−６に示すように、本発明の伸縮式携帯便利なハンガーは、左右に対称的に設置される連結ブロック１６を含み、前記連結ブロック１６の間にはフック装置１００、伸縮装置１０１及び手動装置１０２が連結され、前記伸縮装置１０１にはハンガー装置１０３が連結され、前記フック装置１００は前記連結ブロック１６の中に設置されるスライドチャンバ２６を含み、前記スライドチャンバ２６の中には内スライドブロック２７と外スライドブロック３９とがスライドできるように設置され、前記内スライドブロック２７と前記外スライドブロック３９との中にはそれぞれ左右に位置ずれ、かつ前後に貫通する内抜き穴２８と外抜き穴４０が設置され、前記スライドチャンバ２６の前後内壁には前梁２９と後梁３８とがそれぞれ固定的に連結され、前記前梁２９と前記後梁３８とがそれぞれ前記内抜き穴２８と前記外抜き穴４０とを貫通し、前記内スライドブロック２７の前端と前記スライドチャンバ２６の前側内壁との間には前ばね４１が固定的に連結され、前記外スライドブロック３９の後端と前記スライドチャンバ２６の後側内壁との間には後ばね４２が固定的に連結され、前記スライドチャンバ２６の上側内壁の中には上方に開口した連通溝２４が連通し設置され、前記内スライドブロック２７と前記外スライドブロック３９の上端には内フック１３と外フック１１とがそれぞれ固定的に連結され、前記内フック１３と前記外フック１１との間には横ロッド穴１２が左右に貫通し設置され、前記横ロッド穴１２の間には横ロッド１５がスライドできるように、かつ回転できるように連結され、
上下に前記連結ブロック１６をスライドさせるだけで服を掛けられ、ハンガーを取り外す必要がない。
【００１３】
有益的には、前記手動装置１０２はそれぞれ左右両側の前記連結ブロック１６の上端に固定的に設置されるネジ山ブロック１７と固定ブロック２１を含み、前記ネジ山ブロック１７の中にはネジ山穴１８が左右に貫通し設置され、前記ネジ山穴１８の中にはねじボルト２０がネジ山により連結され、前記ねじボルト２０の左端にはリミットブロック１９が固定的に連結され、前記固定ブロック２１の中には固定穴２２が左右に貫通し設置され、前記ねじボルト２０の右端が前記固定穴２２を貫通し、前記ねじボルト２０の右端には制御輪２３が固定的に連結され、
前記制御輪２３を回転させ、両側の前記連結ブロック１６の間の距離を変更できる。
【００１４】
有益的には、前記伸縮装置１０１は開口が向かい合い、かつ下方に開口した前記連結ブロック１６の中に設置されるスライドチャンバ２５を含み、前記スライドチャンバ２５のうち中心から離れている側の内壁には固定ロッド３１が固定的に連結され、前記固定ロッド３１の中には伸縮チャンバ４７が向かい合って開口して設置され、前記伸縮チャンバ４７の間には伸縮ロッド３３がスライドできるように連結され、前記伸縮ロッド３３の左右両端と前記伸縮チャンバ４７の内側内壁との間には伸縮ばね４９が固定的に連結され、前記伸縮チャンバ４７の内壁の中には清掃膜４８が固定的に設置され、前記スライドチャンバ２５の上側内壁の中には仕切り板チャンバ４３が連通し設置され、前記仕切り板チャンバ４３の前後内壁の間には仕切り板軸４４が固定的に連結され、前記仕切り板軸４４には仕切り板４５が回転できるように連結され、前記仕切り板４５の中には仕切り板軸穴４６が前後に貫通し設置され、前記仕切り板軸４４が前記仕切り板軸穴４６を貫通し、前記仕切り板４５の前後両端と前記仕切り板チャンバ４３の前後内壁との間には仕切り板トーションばね５９が固定的に連結され、
左右に前記連結ブロック１６をスライドさせると前記伸縮ロッド３３が伸び出せ、服を前記伸縮ロッド３３に置いて干すことができ、前記仕切り板４５を通じて前記ハンガー装置１０３が前記スライドチャンバ２５から滑り出すことを防止できる。
【００１５】
有益的には、前記ハンガー装置１０３は前記スライドチャンバ２５の中にスライドできるように設置される連結板３０を含み、前記連結板３０の中にはガイド穴３２が左右に貫通し設置され、前記固定ロッド３１が前記連結板３０を貫通し、前記連結板３０のうち中心に近接する一端には上下に対称的な連結柱３４が固定的に連結され、上下両側の前記連結柱３４の間には固定軸３５が固定的に連結され、前記固定軸３５には広げ板３６が回転できるように連結され、前記広げ板３６の中には固定軸穴３７が上下に貫通し設置され、前記固定軸３５が前記固定軸穴３７を貫通し、両側の前記広げ板３６の間には三組のヒンジ連結装置１０４が連結され、前記ヒンジ連結装置１０４は前記広げ板３６の中に回転できるように連結される前連結軸５２を含み、前記前連結軸５２の上端には上連結板５１が回転できるように連結され、前記上連結板５１のもう一端の中には後連結軸６２が回転できるように連結され、前記後連結軸６２の下端には下連結板５０が回転できるように設置され、前記下連結板５０のもう一端が次の前記ヒンジ連結装置１０４に連結され、前記前連結軸５２と前記後連結軸６２の下端にはクリップ５３が固定的に連結され、前記クリップ５３の中には下方に開口した開口チャンバ５４が左右に貫通し設置され、前記開口チャンバ５４の中には治具軸５７が左右に対称的に固定的に連結され、前記治具軸５７には治具５５が回転できるように連結され、前記治具５５の前後両端と前記開口チャンバ５４の前後両側内壁との間には挟みトーションばね６０が固定的に連結され、
前記前連結軸５２と前記後連結軸６２との回転できるような連結により前記上連結板５１と前記下連結板５０とを収縮できる。
【００１６】
使用するとき、制御輪２３が回転し、これによりねじボルト２０を回転連動させ、ネジ山ブロック１７と固定ブロック２１とにより連結ブロック１６を駆動しスライドし展開させ、同時に伸縮ロッド３３が伸縮チャンバ４７の中から滑り出し伸縮ばね４９をピンと張らせ、同時に両側の連結板３０が互いに離れ、前連結軸５２と後連結軸６２との回転できるような連結が上連結板５１と下連結板５０とを回転展開連動させ、手動で連結板３０をスライドさせ両側の連結板３０の間の距離を調整でき、仕切り板４５により連結板３０がスライドチャンバ２５から滑り出すことを防止し、このとき連結ブロック１６を下に引くことができ、これにより外スライドブロック３９を内スライドブロック２７と互いに近接させ、これにより外フック１１と内フック１３とに垂直の状態を維持させ、外フック１１と内フック１３とを通じて装置の揺れを防止でき、このとき治具５５により服を挟むことができ、また挟みトーションばね６０の弾力作用により挟み、手を放した後に前ばね４１と後ばね４２との弾力作用により連結ブロック１６をリセット上昇させる。
【００１７】
有益的な効果は：本発明は構造が簡単で、操作が便利であり、服を干す必要があるとき、ハンガーを展開させ、挟み装置を下に引いた後服を挟み、手を放した後に挟み装置が自動的にリセットし上昇し、本発明の装置が使用されないときに収縮し、占める空間を減少できるだけではなく、横ロッドから取り外す必要もなく、便利で快速であり、また同時に複数の服を干せる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175059.tif 000003
【図２】
2020175059.tif 000004
【図３】
2020175059.tif 000005
【図４】
2020175059.tif 000006
【図５】
2020175059.tif 000007
【図６】
2020175059.tif 000008
【手続補正書】
【提出日】令和2年4月26日(2020.4.26)
【手続補正１】
【補正対象書類名】特許請求の範囲
【補正対象項目名】全文
【補正方法】変更
【補正の内容】
【特許請求の範囲】
【請求項１】
左右に対称的に設置される連結ブロックを含み、前記連結ブロックの間にはフック装置、伸縮装置及び手動装置が連結され、前記伸縮装置にはハンガー装置が連結され、前記フック装置は前記連結ブロックの中に設置されるスライドチャンバを含み、前記スライドチャンバの中には内スライドブロックと外スライドブロックとがスライドできるように設置され、前記内スライドブロックと前記外スライドブロックとの中にはそれぞれ左右に位置ずれ、かつ前後に貫通する内抜き穴と外抜き穴が設置され、前記スライドチャンバの前後内壁には前梁と後梁とがそれぞれ固定的に連結され、前記前梁と前記後梁とがそれぞれ前記内抜き穴と前記外抜き穴とを貫通し、前記内スライドブロックの前端と前記スライドチャンバの前側内壁との間には前ばねが固定的に連結され、前記外スライドブロックの後端と前記スライドチャンバの後側内壁との間には後ばねが固定的に連結され、前記スライドチャンバの上側内壁の中には上方に開口した連通溝が連通し設置され、前記内スライドブロックと前記外スライドブロックの上端には内フックと外フックとがそれぞれ固定的に連結され、前記内フックと前記外フックとの間には横ロッド穴が左右に貫通し設置され、前記横ロッド穴の間には横ロッドがスライドできるように、かつ回転できるように連結され、前記外フックと前記内フックとを通じて装置の揺れを防止でき、
前記手動装置はそれぞれ左右両側の前記連結ブロックの上端に固定的に設置されるネジ山ブロックと固定ブロックを含み、前記ネジ山ブロックの中にはネジ山穴が左右に貫通し設置され、前記ネジ山穴の中にはねじボルトがネジ山により連結され、前記ねじボルトの左端にはリミットブロックが固定的に連結され、前記固定ブロックの中には固定穴が左右に貫通し設置され、前記ねじボルトの右端が前記固定穴を貫通し、前記ねじボルトの右端には制御輪が固定的に連結され、
前記制御輪を回転させ、両側の前記連結ブロックの間の距離を変更でき、
前記伸縮装置は開口が向かい合い、かつ下方に開口した前記連結ブロックの中に設置されるスライドチャンバを含み、前記スライドチャンバのうち中心から離れている側の内壁には固定ロッドが固定的に連結され、前記固定ロッドの中には伸縮チャンバが向かい合って開口して設置され、前記伸縮チャンバの間には伸縮ロッドがスライドできるように連結され、前記伸縮ロッドの左右両端と前記伸縮チャンバの内側内壁との間には伸縮ばねが固定的に連結され、前記伸縮チャンバの内壁の中には清掃膜が固定的に設置され、前記スライドチャンバの上側内壁の中には仕切り板チャンバが連通し設置され、前記仕切り板チャンバの前後内壁の間には仕切り板軸が固定的に連結され、前記仕切り板軸には仕切り板が回転できるように連結され、前記仕切り板の中には仕切り板軸穴が前後に貫通し設置され、前記仕切り板軸が前記仕切り板軸穴を貫通し、前記仕切り板の前後両端と前記仕切り板チャンバの前後内壁との間には仕切り板トーションばねが固定的に連結され、
左右に前記連結ブロックをスライドさせると前記伸縮ロッドが伸び出せ、服を前記伸縮ロッドに置いて干すことができ、前記仕切り板を通じて前記ハンガー装置が前記スライドチャンバから滑り出すことを防止でき、
前記ハンガー装置は前記スライドチャンバの中にスライドできるように設置される連結板を含み、前記連結板の中にはガイド穴が左右に貫通し設置され、前記固定ロッドが前記連結板を貫通し、前記連結板のうち中心に近接する一端には上下に対称的な連結柱が固定的に連結され、上下両側の前記連結柱の間には固定軸が固定的に連結され、前記固定軸には広げ板が回転できるように連結され、前記広げ板の中には固定軸穴が上下に貫通し設置され、前記固定軸が前記固定軸穴を貫通し、両側の前記広げ板の間には三組のヒンジ連結装置が連結され、前記ヒンジ連結装置は前記広げ板の中に回転できるように連結される前連結軸を含み、前記前連結軸の上端には上連結板が回転できるように連結され、前記上連結板のもう一端の中には後連結軸が回転できるように連結され、前記後連結軸の下端には下連結板が回転できるように設置され、前記下連結板のもう一端が次の前記ヒンジ連結装置に連結され、前記前連結軸と前記後連結軸の下端にはクリップが固定的に連結され、前記クリップの中には下方に開口した開口チャンバが左右に貫通し設置され、前記開口チャンバの中には治具軸が左右に対称的に固定的に連結され、前記治具軸には治具が回転できるように連結され、前記治具の前後両端と前記開口チャンバの前後両側内壁との間には挟みトーションばねが固定的に連結され、前記治具により服を挟むことができ、
前記前連結軸と前記後連結軸との回転できるような連結により前記上連結板と前記下連結板とを収縮できることを特徴とする伸縮式ハンガー。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には伸縮式ハンガーである。
【背景技術】
【０００２】
普段の生活にハンガーで服を干すのが一般的であるが、服をハンガーに掛けた後竿上げ棒で横ロッドに掛ける必要があり、手間がかかり、また大きなハンガーは服を干さないとき占める空間が大きく、従って快速に変換できる伸縮式ハンガーを設計する必要があり、本発明の装置は常に横ロッドに掛けられ、快速に伸縮でき占める空間を減少する。
【先行技術文献】
【特許文献】
【０００３】
【特許文献１】中国特許出願公開第１０７７００１６７号明細書
【発明の概要】
【発明が解決しようとする課題】
【０００４】
本発明の目的は伸縮式ハンガーを提供し、それは上記の現在の技術中の問題を解決できる。
【課題を解決するための手段】
【０００５】
本発明は以下の技術プランを通じて実現する：本発明の伸縮式ハンガーは、左右に対称的に設置される連結ブロックを含み、前記連結ブロックの間にはフック装置、伸縮装置及び手動装置が連結され、前記伸縮装置にはハンガー装置が連結され、前記フック装置は前記連結ブロックの中に設置されるスライドチャンバを含み、前記スライドチャンバの中には内スライドブロックと外スライドブロックとがスライドできるように設置され、前記内スライドブロックと前記外スライドブロックとの中にはそれぞれ左右に位置ずれ、かつ前後に貫通する内抜き穴と外抜き穴が設置され、前記スライドチャンバの前後内壁には前梁と後梁とがそれぞれ固定的に連結され、前記前梁と前記後梁とがそれぞれ前記内抜き穴と前記外抜き穴とを貫通し、前記内スライドブロックの前端と前記スライドチャンバの前側内壁との間には前ばねが固定的に連結され、前記外スライドブロックの後端と前記スライドチャンバの後側内壁との間には後ばねが固定的に連結され、前記スライドチャンバの上側内壁の中には上方に開口した連通溝が連通し設置され、前記内スライドブロックと前記外スライドブロックの上端には内フックと外フックとがそれぞれ固定的に連結され、前記内フックと前記外フックとの間には横ロッド穴が左右に貫通し設置され、前記横ロッド穴の間には横ロッドがスライドできるように、かつ回転できるように連結される。
【０００６】
更の技術プラン、前記手動装置はそれぞれ左右両側の前記連結ブロックの上端に固定的に設置されるネジ山ブロックと固定ブロックを含み、前記ネジ山ブロックの中にはネジ山穴が左右に貫通し設置され、前記ネジ山穴の中にはねじボルトがネジ山により連結され、前記ねじボルトの左端にはリミットブロックが固定的に連結され、前記固定ブロックの中には固定穴が左右に貫通し設置され、前記ねじボルトの右端が前記固定穴を貫通し、前記ねじボルトの右端には制御輪が固定的に連結され、
前記制御輪を回転させ、両側の前記連結ブロックの間の距離を変更できる。
【０００７】
更の技術プラン、前記伸縮装置は開口が向かい合い、かつ下方に開口した前記連結ブロックの中に設置されるスライドチャンバを含み、前記スライドチャンバのうち中心から離れている側の内壁には固定ロッドが固定的に連結され、前記固定ロッドの中には伸縮チャンバが向かい合って開口して設置され、前記伸縮チャンバの間には伸縮ロッドがスライドできるように連結され、前記伸縮ロッドの左右両端と前記伸縮チャンバの内側内壁との間には伸縮ばねが固定的に連結され、前記伸縮チャンバの内壁の中には清掃膜が固定的に設置され、前記スライドチャンバの上側内壁の中には仕切り板チャンバが連通し設置され、前記仕切り板チャンバの前後内壁の間には仕切り板軸が固定的に連結され、前記仕切り板軸には仕切り板が回転できるように連結され、前記仕切り板の中には仕切り板軸穴が前後に貫通し設置され、前記仕切り板軸が前記仕切り板軸穴を貫通し、前記仕切り板の前後両端と前記仕切り板チャンバの前後内壁との間には仕切り板トーションばねが固定的に連結され、
左右に前記連結ブロックをスライドさせると前記伸縮ロッドが伸び出せ、服を前記伸縮ロッドに置いて干すことができ、前記仕切り板を通じて前記ハンガー装置が前記スライドチャンバから滑り出すことを防止できる。
【０００８】
更の技術プラン、前記ハンガー装置は前記スライドチャンバの中にスライドできるように設置される連結板を含み、前記連結板の中にはガイド穴が左右に貫通し設置され、前記固定ロッドが前記連結板を貫通し、前記連結板のうち中心に近接する一端には上下に対称的な連結柱が固定的に連結され、上下両側の前記連結柱の間には固定軸が固定的に連結され、前記固定軸には広げ板が回転できるように連結され、前記広げ板の中には固定軸穴が上下に貫通し設置され、前記固定軸が前記固定軸穴を貫通し、両側の前記広げ板の間には三組のヒンジ連結装置が連結され、前記ヒンジ連結装置は前記広げ板の中に回転できるように連結される前連結軸を含み、前記前連結軸の上端には上連結板が回転できるように連結され、前記上連結板のもう一端の中には後連結軸が回転できるように連結され、前記後連結軸の下端には下連結板が回転できるように設置され、前記下連結板のもう一端が次の前記ヒンジ連結装置に連結され、前記前連結軸と前記後連結軸の下端にはクリップが固定的に連結され、前記クリップの中には下方に開口した開口チャンバが左右に貫通し設置され、前記開口チャンバの中には治具軸が左右に対称的に固定的に連結され、前記治具軸には治具が回転できるように連結され、前記治具の前後両端と前記開口チャンバの前後両側内壁との間には挟みトーションばねが固定的に連結され、
前記前連結軸と前記後連結軸との回転できるような連結により前記上連結板と前記下連結板とを収縮できる。
【発明の効果】
【０００９】
有益的な効果は：本発明は構造が簡単で、操作が便利であり、服を干す必要があるとき、ハンガーを展開させ、挟み装置を下に引いた後服を挟み、手を放した後に挟み装置が自動的にリセットし上昇し、本発明の装置が使用されないときに収縮し、占める空間を減少できるだけではなく、横ロッドから取り外す必要もなく、便利で快速であり、また同時に複数の服を干せる。
【図面の簡単な説明】
【００１０】
【図１】図１は本発明の伸縮式ハンガーの内部構成略図
【図２】図２は図１のＡ−Ａ方向の構成略図
【図３】図３は図１のＢの拡大略図
【図４】図４は図１のＣの拡大略図
【図５】図５は図３のＤ−Ｄ方向の構成略図
【図６】図６は図４のＥ−Ｅ方向の構成略図
【発明を実施するための形態】
【００１１】
下記に図１−６をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−６に示すように、本発明の伸縮式ハンガーは、左右に対称的に設置される連結ブロック１６を含み、前記連結ブロック１６の間にはフック装置１００、伸縮装置１０１及び手動装置１０２が連結され、前記伸縮装置１０１にはハンガー装置１０３が連結され、前記フック装置１００は前記連結ブロック１６の中に設置されるスライドチャンバ２６を含み、前記スライドチャンバ２６の中には内スライドブロック２７と外スライドブロック３９とがスライドできるように設置され、前記内スライドブロック２７と前記外スライドブロック３９との中にはそれぞれ左右に位置ずれ、かつ前後に貫通する内抜き穴２８と外抜き穴４０が設置され、前記スライドチャンバ２６の前後内壁には前梁２９と後梁３８とがそれぞれ固定的に連結され、前記前梁２９と前記後梁３８とがそれぞれ前記内抜き穴２８と前記外抜き穴４０とを貫通し、前記内スライドブロック２７の前端と前記スライドチャンバ２６の前側内壁との間には前ばね４１が固定的に連結され、前記外スライドブロック３９の後端と前記スライドチャンバ２６の後側内壁との間には後ばね４２が固定的に連結され、前記スライドチャンバ２６の上側内壁の中には上方に開口した連通溝２４が連通し設置され、前記内スライドブロック２７と前記外スライドブロック３９の上端には内フック１３と外フック１１とがそれぞれ固定的に連結され、前記内フック１３と前記外フック１１との間には横ロッド穴１２が左右に貫通し設置され、前記横ロッド穴１２の間には横ロッド１５がスライドできるように、かつ回転できるように連結される。
【００１３】
有益的には、前記手動装置１０２はそれぞれ左右両側の前記連結ブロック１６の上端に固定的に設置されるネジ山ブロック１７と固定ブロック２１を含み、前記ネジ山ブロック１７の中にはネジ山穴１８が左右に貫通し設置され、前記ネジ山穴１８の中にはねじボルト２０がネジ山により連結され、前記ねじボルト２０の左端にはリミットブロック１９が固定的に連結され、前記固定ブロック２１の中には固定穴２２が左右に貫通し設置され、前記ねじボルト２０の右端が前記固定穴２２を貫通し、前記ねじボルト２０の右端には制御輪２３が固定的に連結され、
前記制御輪２３を回転させ、両側の前記連結ブロック１６の間の距離を変更できる。
【００１４】
有益的には、前記伸縮装置１０１は開口が向かい合い、かつ下方に開口した前記連結ブロック１６の中に設置されるスライドチャンバ２５を含み、前記スライドチャンバ２５のうち中心から離れている側の内壁には固定ロッド３１が固定的に連結され、前記固定ロッド３１の中には伸縮チャンバ４７が向かい合って開口して設置され、前記伸縮チャンバ４７の間には伸縮ロッド３３がスライドできるように連結され、前記伸縮ロッド３３の左右両端と前記伸縮チャンバ４７の内側内壁との間には伸縮ばね４９が固定的に連結され、前記伸縮チャンバ４７の内壁の中には清掃膜４８が固定的に設置され、前記スライドチャンバ２５の上側内壁の中には仕切り板チャンバ４３が連通し設置され、前記仕切り板チャンバ４３の前後内壁の間には仕切り板軸４４が固定的に連結され、前記仕切り板軸４４には仕切り板４５が回転できるように連結され、前記仕切り板４５の中には仕切り板軸穴４６が前後に貫通し設置され、前記仕切り板軸４４が前記仕切り板軸穴４６を貫通し、前記仕切り板４５の前後両端と前記仕切り板チャンバ４３の前後内壁との間には仕切り板トーションばね５９が固定的に連結され、
左右に前記連結ブロック１６をスライドさせると前記伸縮ロッド３３が伸び出せ、服を前記伸縮ロッド３３に置いて干すことができ、前記仕切り板４５を通じて前記ハンガー装置１０３が前記スライドチャンバ２５から滑り出すことを防止できる。
【００１５】
有益的には、前記ハンガー装置１０３は前記スライドチャンバ２５の中にスライドできるように設置される連結板３０を含み、前記連結板３０の中にはガイド穴３２が左右に貫通し設置され、前記固定ロッド３１が前記連結板３０を貫通し、前記連結板３０のうち中心に近接する一端には上下に対称的な連結柱３４が固定的に連結され、上下両側の前記連結柱３４の間には固定軸３５が固定的に連結され、前記固定軸３５には広げ板３６が回転できるように連結され、前記広げ板３６の中には固定軸穴３７が上下に貫通し設置され、前記固定軸３５が前記固定軸穴３７を貫通し、両側の前記広げ板３６の間には三組のヒンジ連結装置１０４が連結され、前記ヒンジ連結装置１０４は前記広げ板３６の中に回転できるように連結される前連結軸５２を含み、前記前連結軸５２の上端には上連結板５１が回転できるように連結され、前記上連結板５１のもう一端の中には後連結軸６２が回転できるように連結され、前記後連結軸６２の下端には下連結板５０が回転できるように設置され、前記下連結板５０のもう一端が次の前記ヒンジ連結装置１０４に連結され、前記前連結軸５２と前記後連結軸６２の下端にはクリップ５３が固定的に連結され、前記クリップ５３の中には下方に開口した開口チャンバ５４が左右に貫通し設置され、前記開口チャンバ５４の中には治具軸５７が左右に対称的に固定的に連結され、前記治具軸５７には治具５５が回転できるように連結され、前記治具５５の前後両端と前記開口チャンバ５４の前後両側内壁との間には挟みトーションばね６０が固定的に連結され、
前記前連結軸５２と前記後連結軸６２との回転できるような連結により前記上連結板５１と前記下連結板５０とを収縮できる。
【００１６】
使用するとき、制御輪２３が回転し、これによりねじボルト２０を回転連動させ、ネジ山ブロック１７と固定ブロック２１とにより連結ブロック１６を駆動しスライドし展開させ、同時に伸縮ロッド３３が伸縮チャンバ４７の中から滑り出し伸縮ばね４９をピンと張らせ、同時に両側の連結板３０が互いに離れ、前連結軸５２と後連結軸６２との回転できるような連結が上連結板５１と下連結板５０とを回転展開連動させ、手動で連結板３０をスライドさせ両側の連結板３０の間の距離を調整でき、仕切り板４５により連結板３０がスライドチャンバ２５から滑り出すことを防止し、このとき連結ブロック１６を下に引くことができ、これにより外スライドブロック３９を内スライドブロック２７と互いに近接させ、これにより外フック１１と内フック１３とに垂直の状態を維持させ、外フック１１と内フック１３とを通じて装置の揺れを防止でき、このとき治具５５により服を挟むことができ、また挟みトーションばね６０の弾力作用により挟み、手を放した後に前ばね４１と後ばね４２との弾力作用により連結ブロック１６をリセット上昇させる。
【００１７】
有益的な効果は：本発明は構造が簡単で、操作が便利であり、服を干す必要があるとき、ハンガーを展開させ、挟み装置を下に引いた後服を挟み、手を放した後に挟み装置が自動的にリセットし上昇し、本発明の装置が使用されないときに収縮し、占める空間を減少できるだけではなく、横ロッドから取り外す必要もなく、便利で快速であり、また同時に複数の服を干せる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
左右に対称的に設置される連結ブロックを含み、前記連結ブロックの間にはフック装置、伸縮装置及び手動装置が連結され、前記伸縮装置にはハンガー装置が連結され、前記フック装置は前記連結ブロックの中に設置されるスライドチャンバを含み、前記スライドチャンバの中には内スライドブロックと外スライドブロックとがスライドできるように設置され、前記内スライドブロックと前記外スライドブロックとの中にはそれぞれ左右に位置ずれ、かつ前後に貫通する内抜き穴と外抜き穴が設置され、前記スライドチャンバの前後内壁には前梁と後梁とがそれぞれ固定的に連結され、前記前梁と前記後梁とがそれぞれ前記内抜き穴と前記外抜き穴とを貫通し、前記内スライドブロックの前端と前記スライドチャンバの前側内壁との間には前ばねが固定的に連結され、前記外スライドブロックの後端と前記スライドチャンバの後側内壁との間には後ばねが固定的に連結され、前記スライドチャンバの上側内壁の中には上方に開口した連通溝が連通し設置され、前記内スライドブロックと前記外スライドブロックの上端には内フックと外フックとがそれぞれ固定的に連結され、前記内フックと前記外フックとの間には横ロッド穴が左右に貫通し設置され、前記横ロッド穴の間には横ロッドがスライドできるように、かつ回転できるように連結され、上下に前記連結ブロックをスライドさせるだけで服を掛けられ、ハンガーを取り外す必要がなく、前記外フックと前記内フックとを通じて装置の揺れを防止でき、
前記手動装置はそれぞれ左右両側の前記連結ブロックの上端に固定的に設置されるネジ山ブロックと固定ブロックを含み、前記ネジ山ブロックの中にはネジ山穴が左右に貫通し設置され、前記ネジ山穴の中にはねじボルトがネジ山により連結され、前記ねじボルトの左端にはリミットブロックが固定的に連結され、前記固定ブロックの中には固定穴が左右に貫通し設置され、前記ねじボルトの右端が前記固定穴を貫通し、前記ねじボルトの右端には制御輪が固定的に連結され、
前記制御輪を回転させ、両側の前記連結ブロックの間の距離を変更でき、
前記伸縮装置は開口が向かい合い、かつ下方に開口した前記連結ブロックの中に設置されるスライドチャンバを含み、前記スライドチャンバのうち中心から離れている側の内壁には固定ロッドが固定的に連結され、前記固定ロッドの中には伸縮チャンバが向かい合って開口して設置され、前記伸縮チャンバの間には伸縮ロッドがスライドできるように連結され、前記伸縮ロッドの左右両端と前記伸縮チャンバの内側内壁との間には伸縮ばねが固定的に連結され、前記伸縮チャンバの内壁の中には清掃膜が固定的に設置され、前記スライドチャンバの上側内壁の中には仕切り板チャンバが連通し設置され、前記仕切り板チャンバの前後内壁の間には仕切り板軸が固定的に連結され、前記仕切り板軸には仕切り板が回転できるように連結され、前記仕切り板の中には仕切り板軸穴が前後に貫通し設置され、前記仕切り板軸が前記仕切り板軸穴を貫通し、前記仕切り板の前後両端と前記仕切り板チャンバの前後内壁との間には仕切り板トーションばねが固定的に連結され、
左右に前記連結ブロックをスライドさせると前記伸縮ロッドが伸び出せ、服を前記伸縮ロッドに置いて干すことができ、前記仕切り板を通じて前記ハンガー装置が前記スライドチャンバから滑り出すことを防止でき、
前記ハンガー装置は前記スライドチャンバの中にスライドできるように設置される連結板を含み、前記連結板の中にはガイド穴が左右に貫通し設置され、前記固定ロッドが前記連結板を貫通し、前記連結板のうち中心に近接する一端には上下に対称的な連結柱が固定的に連結され、上下両側の前記連結柱の間には固定軸が固定的に連結され、前記固定軸には広げ板が回転できるように連結され、前記広げ板の中には固定軸穴が上下に貫通し設置され、前記固定軸が前記固定軸穴を貫通し、両側の前記広げ板の間には三組のヒンジ連結装置が連結され、前記ヒンジ連結装置は前記広げ板の中に回転できるように連結される前連結軸を含み、前記前連結軸の上端には上連結板が回転できるように連結され、前記上連結板のもう一端の中には後連結軸が回転できるように連結され、前記後連結軸の下端には下連結板が回転できるように設置され、前記下連結板のもう一端が次の前記ヒンジ連結装置に連結され、前記前連結軸と前記後連結軸の下端にはクリップが固定的に連結され、前記クリップの中には下方に開口した開口チャンバが左右に貫通し設置され、前記開口チャンバの中には治具軸が左右に対称的に固定的に連結され、前記治具軸には治具が回転できるように連結され、前記治具の前後両端と前記開口チャンバの前後両側内壁との間には挟みトーションばねが固定的に連結され、前記治具により服を挟むことができ、
前記前連結軸と前記後連結軸との回転できるような連結により前記上連結板と前記下連結板とを収縮でき、
前記制御輪が回転し、これにより前記ねじボルトを回転連動させ、前記ネジ山ブロックと前記固定ブロックとにより前記連結ブロックを駆動しスライドし展開させ、同時に前記伸縮ロッドが前記伸縮チャンバの中から滑り出し前記伸縮ばねを前記ピンと張らせ、同時に両側の前記連結板が互いに離れ、前記前連結軸と前記後連結軸との回転できるような連結が前記上連結板と前記下連結板とを回転展開連動させ、手動で前記連結板をスライドさせ両側の前記連結板の間の距離を調整でき、前記仕切り板により前記連結板がスライドチャンバから滑り出すことを防止し、このとき前記連結ブロックを下に引くことができ、これにより前記外スライドブロックを前記内スライドブロックと互いに近接させ、これにより前記外フックと前記内フックとに垂直の状態を維持させ、前記外フックと前記内フックとを通じて装置の揺れを防止でき、このとき前記治具により服を挟むことができ、また前記挟みトーションばねの弾力作用により挟み、手を放した後に前記前ばねと前記後ばねとの弾力作用により前記連結ブロックをリセット上昇させ、
服を干す必要があるとき、ハンガーを展開させ、前記挟み装置を下に引いた後服を挟み、手を放した後に前記挟み装置が自動的にリセットし上昇し、本発明の装置が使用されないときに収縮し、占める空間を減少できるだけではなく、前記横ロッドから取り外す必要もなく、便利で快速であり、また同時に複数の服を干せることを特徴とする伸縮式携帯便利なハンガー。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には伸縮式携帯便利なハンガーである。
【背景技術】
【０００２】
普段の生活にハンガーで服を干すのが一般的であるが、服をハンガーに掛けた後竿上げ棒で横ロッドに掛ける必要があり、手間がかかり、また大きなハンガーは服を干さないとき占める空間が大きく、従って快速に変換できる伸縮式携帯便利なハンガーを設計する必要があり、本発明の装置は常に横ロッドに掛けられ、快速に伸縮でき占める空間を減少する。
【先行技術文献】
【特許文献】
【０００３】
【特許文献１】中国特許出願公開第１０７７００１６７号明細書
【発明の概要】
【発明が解決しようとする課題】
【０００４】
本発明の目的は伸縮式携帯便利なハンガーを提供し、それは上記の現在の技術中の問題を解決できる。
【課題を解決するための手段】
【０００５】
本発明は以下の技術プランを通じて実現する：本発明の伸縮式携帯便利なハンガーは、左右に対称的に設置される連結ブロックを含み、前記連結ブロックの間にはフック装置、伸縮装置及び手動装置が連結され、前記伸縮装置にはハンガー装置が連結され、前記フック装置は前記連結ブロックの中に設置されるスライドチャンバを含み、前記スライドチャンバの中には内スライドブロックと外スライドブロックとがスライドできるように設置され、前記内スライドブロックと前記外スライドブロックとの中にはそれぞれ左右に位置ずれ、かつ前後に貫通する内抜き穴と外抜き穴が設置され、前記スライドチャンバの前後内壁には前梁と後梁とがそれぞれ固定的に連結され、前記前梁と前記後梁とがそれぞれ前記内抜き穴と前記外抜き穴とを貫通し、前記内スライドブロックの前端と前記スライドチャンバの前側内壁との間には前ばねが固定的に連結され、前記外スライドブロックの後端と前記スライドチャンバの後側内壁との間には後ばねが固定的に連結され、前記スライドチャンバの上側内壁の中には上方に開口した連通溝が連通し設置され、前記内スライドブロックと前記外スライドブロックの上端には内フックと外フックとがそれぞれ固定的に連結され、前記内フックと前記外フックとの間には横ロッド穴が左右に貫通し設置され、前記横ロッド穴の間には横ロッドがスライドできるように、かつ回転できるように連結され、上下に前記連結ブロックをスライドさせるだけで服を掛けられ、ハンガーを取り外す必要がない。
【０００６】
更の技術プラン、前記手動装置はそれぞれ左右両側の前記連結ブロックの上端に固定的に設置されるネジ山ブロックと固定ブロックを含み、前記ネジ山ブロックの中にはネジ山穴が左右に貫通し設置され、前記ネジ山穴の中にはねじボルトがネジ山により連結され、前記ねじボルトの左端にはリミットブロックが固定的に連結され、前記固定ブロックの中には固定穴が左右に貫通し設置され、前記ねじボルトの右端が前記固定穴を貫通し、前記ねじボルトの右端には制御輪が固定的に連結され、
前記制御輪を回転させ、両側の前記連結ブロックの間の距離を変更できる。
【０００７】
更の技術プラン、前記伸縮装置は開口が向かい合い、かつ下方に開口した前記連結ブロックの中に設置されるスライドチャンバを含み、前記スライドチャンバのうち中心から離れている側の内壁には固定ロッドが固定的に連結され、前記固定ロッドの中には伸縮チャンバが向かい合って開口して設置され、前記伸縮チャンバの間には伸縮ロッドがスライドできるように連結され、前記伸縮ロッドの左右両端と前記伸縮チャンバの内側内壁との間には伸縮ばねが固定的に連結され、前記伸縮チャンバの内壁の中には清掃膜が固定的に設置され、前記スライドチャンバの上側内壁の中には仕切り板チャンバが連通し設置され、前記仕切り板チャンバの前後内壁の間には仕切り板軸が固定的に連結され、前記仕切り板軸には仕切り板が回転できるように連結され、前記仕切り板の中には仕切り板軸穴が前後に貫通し設置され、前記仕切り板軸が前記仕切り板軸穴を貫通し、前記仕切り板の前後両端と前記仕切り板チャンバの前後内壁との間には仕切り板トーションばねが固定的に連結され、
左右に前記連結ブロックをスライドさせると前記伸縮ロッドが伸び出せ、服を前記伸縮ロッドに置いて干すことができ、前記仕切り板を通じて前記ハンガー装置が前記スライドチャンバから滑り出すことを防止できる。
【０００８】
更の技術プラン、前記ハンガー装置は前記スライドチャンバの中にスライドできるように設置される連結板を含み、前記連結板の中にはガイド穴が左右に貫通し設置され、前記固定ロッドが前記連結板を貫通し、前記連結板のうち中心に近接する一端には上下に対称的な連結柱が固定的に連結され、上下両側の前記連結柱の間には固定軸が固定的に連結され、前記固定軸には広げ板が回転できるように連結され、前記広げ板の中には固定軸穴が上下に貫通し設置され、前記固定軸が前記固定軸穴を貫通し、両側の前記広げ板の間には三組のヒンジ連結装置が連結され、前記ヒンジ連結装置は前記広げ板の中に回転できるように連結される前連結軸を含み、前記前連結軸の上端には上連結板が回転できるように連結され、前記上連結板のもう一端の中には後連結軸が回転できるように連結され、前記後連結軸の下端には下連結板が回転できるように設置され、前記下連結板のもう一端が次の前記ヒンジ連結装置に連結され、前記前連結軸と前記後連結軸の下端にはクリップが固定的に連結され、前記クリップの中には下方に開口した開口チャンバが左右に貫通し設置され、前記開口チャンバの中には治具軸が左右に対称的に固定的に連結され、前記治具軸には治具が回転できるように連結され、前記治具の前後両端と前記開口チャンバの前後両側内壁との間には挟みトーションばねが固定的に連結され、
前記前連結軸と前記後連結軸との回転できるような連結により前記上連結板と前記下連結板とを収縮できる。
【発明の効果】
【０００９】
有益的な効果は：本発明は構造が簡単で、操作が便利であり、服を干す必要があるとき、ハンガーを展開させ、挟み装置を下に引いた後服を挟み、手を放した後に挟み装置が自動的にリセットし上昇し、本発明の装置が使用されないときに収縮し、占める空間を減少できるだけではなく、横ロッドから取り外す必要もなく、便利で快速であり、また同時に複数の服を干せる。
【図面の簡単な説明】
【００１０】
【図１】図１は本発明の伸縮式携帯便利なハンガーの内部構成略図
【図２】図２は図１のＡ−Ａ方向の構成略図
【図３】図３は図１のＢの拡大略図
【図４】図４は図１のＣの拡大略図
【図５】図５は図３のＤ−Ｄ方向の構成略図
【図６】図６は図４のＥ−Ｅ方向の構成略図
【発明を実施するための形態】
【００１１】
下記に図１−６をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−６に示すように、本発明の伸縮式携帯便利なハンガーは、左右に対称的に設置される連結ブロック１６を含み、前記連結ブロック１６の間にはフック装置１００、伸縮装置１０１及び手動装置１０２が連結され、前記伸縮装置１０１にはハンガー装置１０３が連結され、前記フック装置１００は前記連結ブロック１６の中に設置されるスライドチャンバ２６を含み、前記スライドチャンバ２６の中には内スライドブロック２７と外スライドブロック３９とがスライドできるように設置され、前記内スライドブロック２７と前記外スライドブロック３９との中にはそれぞれ左右に位置ずれ、かつ前後に貫通する内抜き穴２８と外抜き穴４０が設置され、前記スライドチャンバ２６の前後内壁には前梁２９と後梁３８とがそれぞれ固定的に連結され、前記前梁２９と前記後梁３８とがそれぞれ前記内抜き穴２８と前記外抜き穴４０とを貫通し、前記内スライドブロック２７の前端と前記スライドチャンバ２６の前側内壁との間には前ばね４１が固定的に連結され、前記外スライドブロック３９の後端と前記スライドチャンバ２６の後側内壁との間には後ばね４２が固定的に連結され、前記スライドチャンバ２６の上側内壁の中には上方に開口した連通溝２４が連通し設置され、前記内スライドブロック２７と前記外スライドブロック３９の上端には内フック１３と外フック１１とがそれぞれ固定的に連結され、前記内フック１３と前記外フック１１との間には横ロッド穴１２が左右に貫通し設置され、前記横ロッド穴１２の間には横ロッド１５がスライドできるように、かつ回転できるように連結され、上下に前記連結ブロック１６をスライドさせるだけで服を掛けられ、ハンガーを取り外す必要がない、。
【００１３】
有益的には、前記手動装置１０２はそれぞれ左右両側の前記連結ブロック１６の上端に固定的に設置されるネジ山ブロック１７と固定ブロック２１を含み、前記ネジ山ブロック１７の中にはネジ山穴１８が左右に貫通し設置され、前記ネジ山穴１８の中にはねじボルト２０がネジ山により連結され、前記ねじボルト２０の左端にはリミットブロック１９が固定的に連結され、前記固定ブロック２１の中には固定穴２２が左右に貫通し設置され、前記ねじボルト２０の右端が前記固定穴２２を貫通し、前記ねじボルト２０の右端には制御輪２３が固定的に連結され、
前記制御輪２３を回転させ、両側の前記連結ブロック１６の間の距離を変更できる。
【００１４】
有益的には、前記伸縮装置１０１は開口が向かい合い、かつ下方に開口した前記連結ブロック１６の中に設置されるスライドチャンバ２５を含み、前記スライドチャンバ２５のうち中心から離れている側の内壁には固定ロッド３１が固定的に連結され、前記固定ロッド３１の中には伸縮チャンバ４７が向かい合って開口して設置され、前記伸縮チャンバ４７の間には伸縮ロッド３３がスライドできるように連結され、前記伸縮ロッド３３の左右両端と前記伸縮チャンバ４７の内側内壁との間には伸縮ばね４９が固定的に連結され、前記伸縮チャンバ４７の内壁の中には清掃膜４８が固定的に設置され、前記スライドチャンバ２５の上側内壁の中には仕切り板チャンバ４３が連通し設置され、前記仕切り板チャンバ４３の前後内壁の間には仕切り板軸４４が固定的に連結され、前記仕切り板軸４４には仕切り板４５が回転できるように連結され、前記仕切り板４５の中には仕切り板軸穴４６が前後に貫通し設置され、前記仕切り板軸４４が前記仕切り板軸穴４６を貫通し、前記仕切り板４５の前後両端と前記仕切り板チャンバ４３の前後内壁との間には仕切り板トーションばね５９が固定的に連結され、
左右に前記連結ブロック１６をスライドさせると前記伸縮ロッド３３が伸び出せ、服を前記伸縮ロッド３３に置いて干すことができ、前記仕切り板４５を通じて前記ハンガー装置１０３が前記スライドチャンバ２５から滑り出すことを防止できる。
【００１５】
有益的には、前記ハンガー装置１０３は前記スライドチャンバ２５の中にスライドできるように設置される連結板３０を含み、前記連結板３０の中にはガイド穴３２が左右に貫通し設置され、前記固定ロッド３１が前記連結板３０を貫通し、前記連結板３０のうち中心に近接する一端には上下に対称的な連結柱３４が固定的に連結され、上下両側の前記連結柱３４の間には固定軸３５が固定的に連結され、前記固定軸３５には広げ板３６が回転できるように連結され、前記広げ板３６の中には固定軸穴３７が上下に貫通し設置され、前記固定軸３５が前記固定軸穴３７を貫通し、両側の前記広げ板３６の間には三組のヒンジ連結装置１０４が連結され、前記ヒンジ連結装置１０４は前記広げ板３６の中に回転できるように連結される前連結軸５２を含み、前記前連結軸５２の上端には上連結板５１が回転できるように連結され、前記上連結板５１のもう一端の中には後連結軸６２が回転できるように連結され、前記後連結軸６２の下端には下連結板５０が回転できるように設置され、前記下連結板５０のもう一端が次の前記ヒンジ連結装置１０４に連結され、前記前連結軸５２と前記後連結軸６２の下端にはクリップ５３が固定的に連結され、前記クリップ５３の中には下方に開口した開口チャンバ５４が左右に貫通し設置され、前記開口チャンバ５４の中には治具軸５７が左右に対称的に固定的に連結され、前記治具軸５７には治具５５が回転できるように連結され、前記治具５５の前後両端と前記開口チャンバ５４の前後両側内壁との間には挟みトーションばね６０が固定的に連結され、
前記前連結軸５２と前記後連結軸６２との回転できるような連結により前記上連結板５１と前記下連結板５０とを収縮できる。
【００１６】
使用するとき、制御輪２３が回転し、これによりねじボルト２０を回転連動させ、ネジ山ブロック１７と固定ブロック２１とにより連結ブロック１６を駆動しスライドし展開させ、同時に伸縮ロッド３３が伸縮チャンバ４７の中から滑り出し伸縮ばね４９をピンと張らせ、同時に両側の連結板３０が互いに離れ、前連結軸５２と後連結軸６２との回転できるような連結が上連結板５１と下連結板５０とを回転展開連動させ、手動で連結板３０をスライドさせ両側の連結板３０の間の距離を調整でき、仕切り板４５により連結板３０がスライドチャンバ２５から滑り出すことを防止し、このとき連結ブロック１６を下に引くことができ、これにより外スライドブロック３９を内スライドブロック２７と互いに近接させ、これにより外フック１１と内フック１３とに垂直の状態を維持させ、外フック１１と内フック１３とを通じて装置の揺れを防止でき、このとき治具５５により服を挟むことができ、また挟みトーションばね６０の弾力作用により挟み、手を放した後に前ばね４１と後ばね４２との弾力作用により連結ブロック１６をリセット上昇させる。
【００１７】
有益的な効果は：本発明は構造が簡単で、操作が便利であり、服を干す必要があるとき、ハンガーを展開させ、挟み装置を下に引いた後服を挟み、手を放した後に挟み装置が自動的にリセットし上昇し、本発明の装置が使用されないときに収縮し、占める空間を減少できるだけではなく、横ロッドから取り外す必要もなく、便利で快速であり、また同時に複数の服を干せる。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。